(57)【要約】【課題】  表示記録媒体の搬送に伴う書込領域および表示領域への損傷や汚れ、ゴミ等の付着を防止するので、表示される画像の品質が劣化しない画像書込み装置を提供する。【解決手段】  この画像書込み装置は、表示記録媒体４が所定の位置に移動したときに、第２の位置センサにより表示記録媒体が検出され、表示記録媒体４の搬送が中止される。搬送ローラ３３Ａおよび搬送ローラ３３Ｂを第２のガイド３５とともに下方に下げて、表示記録媒体４に曲げ変形力を加える。表示記録媒体４が第１および第２のガイド３２，３５間において断面弓状に曲げられ、書込表示領域４ｃが下部筐体上面１２ａと接しない状態となる。そのため、表示記録媒体の搬送に伴う書込領域および表示領域への損傷や汚れ、ゴミ等の付着を防止するので、表示される画像の品質の劣化を抑制することができる。【選択図】      図１
2005263473.tif 000002
【特許請求の範囲】
【請求項１】
画像の書込表示領域を有する表示記録媒体を書込み位置に搬送して前記書込表示領域に画像を書き込む画像書込み装置において、
前記表示記録媒体の搬送の際に、前記表示記録媒体の前記書込表示領域に変形力を所定の方向に付与する変形力付与手段と、
前記変形力を付与された状態で前記表示記録媒体を搬送する搬送手段とを備えたことを特徴とする画像書込み装置。
【請求項２】
前記変形力付与手段は、前記表示記録媒体の搬送面から前記書込表示領域が離れる方向に前記変形力を付与することを特徴とする請求項１記載の画像書込み装置。
【請求項３】
前記変形力付与手段は、前記表示記録媒体と搬送面との接触を均一にする方向に前記変形力を付与することを特徴とする請求項１記載の画像書込み装置。
【請求項４】
前記変形力付与手段は、前記表示記録媒体を挟持して搬送する複数のローラ対を有するローラ支持部と、
前記ローラ支持部を前記表示記録媒体を搬送する方向に対し直交する方向に移動させる昇降部とを備えたことを特徴とする請求項１記載の画像書込み装置。
【請求項５】
前記変形力付与手段は、前記表示記録媒体を挟持して搬送する複数のローラ対を有するローラ支持部と、
前記ローラ支持部を前記表示記録媒体を搬送する方向の軸回りに傾動させる傾動部とを備えたことを特徴とする請求項１記載の画像書込み装置。
【請求項６】
前記変形力付与手段および前記搬送手段は、前記表示記録媒体の搬送方向に直交する方向に対して傾斜した回転軸を有する搬送ローラを用いて前記表示記録媒体に前記変形力を付与するとともに前記表示記録媒体を搬送することを特徴とする請求項１記載の画像書込み装置。
【請求項７】
前記書込み位置に搬送された前記表示記録媒体は、画像光出射面に密着することによって前記画像が書き込まれることを特徴とする請求項１記載の画像書込み装置。
【請求項８】
前記書込み位置に搬送された前記表示記録媒体は、プロジェクタからの投影光によって前記画像が書き込まれることを特徴とする請求項１記載の画像書込み装置。
【請求項９】
前記搬送手段は、複数の前記表示記録媒体を収納する収納部から前記表示記録媒体を１つずつ取り出して前記搬送面に供給する供給部を備えることを特徴とする請求項１記載の画像書込み装置。
【請求項１０】
前記供給部は、吸着ベルトを用いて行うことを特徴とする請求項９記載の画像書込み装置。
【請求項１１】
前記変形力付与手段および前記搬送手段は、搬送する前記表示記録媒体の両側に設けられ、前記表示記録媒体の中心に向って細くなる円錐状ローラを用いて前記表示記録媒体に前記変形力を付与するとともに前記表示記録媒体を搬送することを特徴とする請求項１記載の画像書込み装置。
【発明の詳細な説明】
【技術分野】
【０００１】
本発明は、画像の書換えが可能な表示記録媒体に画像を書き込む画像書込み装置に関し、特に、書込表示領域への損傷や汚れ、ゴミ等の付着を防止して、表示される画像の品質を劣化させないようにした画像書込み装置に関する。
【背景技術】
【０００２】
近年、表示記録媒体として、紙媒体や電子ディスプレイデバイスの他に、電子ディスプレイの長所と紙の長所を併せ持った電子ペーパーあるいはデジタルペーパーと称せられる表示記録媒体が注目されている。
【０００３】
この表示記録媒体は、表示に関してメモリ性を有することから、情報の書き換え時のみ駆動装置あるいは外部の情報書込み装置により、書込みのエネルギーを与えるだけで良く、表示を維持するエネルギー印加は不要である。従って、情報の書込み後に書込み装置から表示記録媒体のみを切り離し、紙媒体のように手軽に持ち運んだり、重ねたり、並べたり、手に持って情報を読むことができる。
【０００４】
上記のようなメモリ性を有する表示記録媒体として、光の照射と電圧の印加によって画像が可視的かつ消去自在にメモリされる光書込み型表示記録媒体に画像を書き込む画像書込み装置が知られている（例えば、特許文献１参照）。
【０００５】
この特許文献１に記載された画像書込み装置は、箱型ケースの中に搬送ローラによって、表示記録媒体を画像書込み位置に搬送し、画像書込み位置において表示記録媒体の書込み領域に面状に露光して表示記録媒体に画像を書き込むものである。これにより、表示領域で画像が可視表示される。
【０００６】
この画像書込み装置によれば、画像情報を面状に露光することで印字が可能なため、ライン露光や走査露光などに比べ、大容量の画像情報を高速に書き込むことが可能となる。
【特許文献１】特開２００１−３０１２３３号公報（「００４５」〜「００４７」、図４）
【発明の開示】
【発明が解決しようとする課題】
【０００７】
しかし、従来の画像書込み装置によると、表示記録媒体は、搬送ローラによって搬送されるため、表示記録媒体の搬送中に筐体や搬送面と接触して書込領域および表示領域に傷を付けたり、汚れやゴミ等が付着し、それが露光光や表示光の欠陥となって表れ、表示される画像の品質を下げるおそれがある。
【０００８】
従って、本発明の目的は、表示記録媒体の搬送に伴う書込領域および表示領域への損傷や汚れ、ゴミ等の付着を防止して、表示される画像の品質を劣化させないようにした画像書込み装置を提供することにある。
【課題を解決するための手段】
【０００９】
本発明は、上記目的を達成するため、画像の書込表示領域を有する表示記録媒体を書込み位置に搬送して前記書込表示領域に画像を書き込む画像書込み装置において、前記表示記録媒体の搬送の際に、前記表示記録媒体の前記書込表示領域に変形力を所定の方向に付与する変形力付与手段と、前記変形力を付与された状態で前記表示記録媒体を搬送する搬送手段とを備えたことを特徴とする画像書込み装置を提供する。
【００１０】
この構成によれば、表示記録媒体が画像の書込み位置に搬送される際に、書込表示領域に変形力を付与して書込表示領域を変形する。
【発明の効果】
【００１１】
本発明の画像書込み装置によれば、表示記録媒体が画像の書込み位置に搬送される際に、書込表示領域に変形力を付与して書込表示領域を変形するため、表示記録媒体の搬送に伴う書込領域および表示領域への損傷や汚れ、ゴミ等の付着を防止するので、表示される画像の品質劣化を抑制することができる。
【発明を実施するための最良の形態】
【００１２】
［第１の実施の形態］（画像書込み装置の全体の構成）
図１は、本発明の第１の実施の形態に係る画像書込み装置を示し、（ａ）は平面図、（ｂ）は側面図である。
【００１３】
この画像書込み装置１は、スタッカ２４から表示記録媒体４を供給する供給部２と、供給部２から供給された表示記録媒体４を画像書込み位置に搬送させるとともに、画像書込みが終了した表示記録媒体４を排出する搬送部３と、書込み位置に搬送された表示記録媒体４に当接する当接面を有する上部筐体１１と、表示記録媒体４の書込表示領域に画像を書き込む画像書込み部を有する下部筐体１２とを備える。
【００１４】
（各部の構成）
供給部２は、駆動ローラ２１および従動ローラ２２に張設され、表示記録媒体４を吸着搬送する吸着ベルト２３を備える。吸着ベルト２３は、後述する吸着ベルト昇降部によって  スタッカ２４内に収納された表示記録媒体４を吸着して取り出すとともに、後述する吸着ベルト回転駆動部によって表示記録媒体４を搬送部３の方へ送る。
【００１５】
吸着ベルト２３は、空気吸入穴２３ａを有しており、図示しない排気装置により吸着ベルト２３の外側の空気を吸引することにより、空気吸入穴２３ａに接する表示記録媒体４を吸着するようになっている。
【００１６】
搬送部３は、下部筐体１２の一方の側部に第１のガイド３２を固定して設け、上部筐体１２の他方の側部に後述する搬送ローラ昇降部によって上下ａ、ｂ方向に昇降される第２のガイド３５を設けている。
【００１７】
この第１のガイド３２には、搬送方向に沿って複数の搬送ローラ３１を配設し、第２のガイド３５は、３３Ａ，３３Ｂからなる複数のローラ対を配設している。これらの搬送ローラ３１，３３Ａ，３３Ｂは、後述する搬送ロ−ラ回転駆動部によって回転駆動されるようになっている。
【００１８】
第１のガイド３２と第２のガイド３５の間隔は、表示記録媒体４の搬送方向に直交する辺の長さよりも若干広めに設定され、表示記録媒体４が傾くことなく平行に搬送されるようにガイドしている。
【００１９】
図２は、図１のII−II線に沿う断面図であり、上部筐体１１および下部筐体１２を示す図である。図２（ａ）は表示記録媒体４が書込み位置に搬送される前の状態、図２（ｂ）は書込み状態を示す図である。
【００２０】
上部筐体１１は、その下部には、表示記録媒体４に当接する当接面５を備え、内部には、表示記録媒体４を検出する第２の位置センサ７２、および表示記録媒体４からＩＤを読み取るＩＤ読取部１６とを備える。なお、上部筐体１１は、表示記録媒体４のジャム等の異常時あるいはメンテナンス時のために、図示しないヒンジにより上方に開閉可能に設けられている。
【００２１】
下部筐体１２は、表示記録媒体４の書込表示領域に画像を書き込む書込み部６を備える。書込み部６は、表示記録媒体４の書込表示領域とほぼ同等の大きさを有し、画像の書込みパターン光を書込表示領域に照射するＬＣＤ(Liquid Crystal Display)パネル６１と、ＬＣＤパネル６１の背面からバックライト光を照射するバックライト６０と、書込み部６を表示記録媒体４の搬送時には下降させ、画像の書込み時には上昇させる電磁ソレノイド６３とを備え、下部筐体１２に形成された開口６２から露出可能となっている。
【００２２】
（表示記録媒体の層構成）
図３は、表示記録媒体４を示し、（ａ）は表示記録媒体４の正面図、（ｂ）は表示記録媒体４の層構造を示す模式図である。この表示記録媒体４は、図３（ａ）に示すように、例えば、Ａ４サイズ等の薄型矩形状を有し、裏面４ｂに書込表示領域４ｃを備える。また、この表示記録媒体４は図３（ｂ）に示すように、対向配置されたＰＥＴ（ポリエチレンテレフタレート）フィルムからなる一対の基板４０Ａ，４０Ｂと、一対の基板４０Ａ，４０Ｂの内側に設けられたＩＴＯ（酸化インジウム錫）からなる一対の透明電極４１Ａ，４１Ｂと、裏面４ｂ側の透明電極４１Ｂの内側に設けられ、印加電圧に応じて反射率（透過率）が変化するコレステリック液晶からなる液晶層４２と、液晶層４２の上側に隔離層４３を介して設けられ、書込みパターン光９０の照射によって抵抗値が小さくなるように、２つの電荷発生層４４ａ間に電荷輸送層４４ｂを配置して形成された光導電層４４と、光導電層４４の上側に設けられた光吸収層４５とを備える。この表示記録媒体４は、書込みパターン光９０が照射される面と書き込まれた画像を見る側が同じである例を示す。
【００２３】
（表示記録媒体の湾曲機構）
図４は、表示記録媒体４の第１の実施の形態に係る湾曲機構を示し、（ａ）は図１（ａ）のＸ−Ｘ線に沿う断面図、（ｂ）は図１（ａ）のＹ−Ｙ線に沿う断面図である。
【００２４】
この第１の実施の形態に係る湾曲機構は、第２のガイド３５側において表示記録媒体４を挟持して搬送する搬送ローラ３３Ａ，３３Ｂと、搬送ローラ３３Ａ，３３Ｂを配設し、表示記録媒体４の搬送方向に対して第２のガイド３５を下降して表示記録媒体４を変形させる搬送ローラ昇降部を備える。
【００２５】
（画像書込み装置の搬送制御系）
図５は、画像書込み装置１の搬送制御系を示す図である。この画像書込み装置１は、装置１の全体を制御する主制御部１５を有し、この主制御部１５に表示録媒体４の搬送制御を行う搬送制御部７とを接続している。
【００２６】
搬送制御部７には、表示記録媒体４をスタッカ２４から取り出すための吸着ベルト昇降部２５と、吸着ベルト２３を回転させて吸着した表示記録媒体４を移動する吸着ベルト回転駆動部２６と、表示記録媒体４の搬送、停止等の各動作を行うために表示記録媒体４の位置を検出する第１〜第３の位置センサ７１〜７３と、搬送ローラ３１，３３Ａ，３３Ｂを回転駆動する搬送ローラ回転駆動部７４と、第２のガイド３５を上下動させる搬送ローラ昇降部７５とをそれぞれ接続している。
【００２７】
（動作の説明）
以下、この第１の実施の形態の動作を図面を参照しながら説明する。
図６は、第１の実施の形態に係る画像書込み装置の動作の示すタイミングを示すタイムチャートである。
【００２８】
まず、主制御部１５からの制御信号に基づいて搬送制御部７は、図６の時刻ｔ１において供給部２を制御して表示記録媒体４の供給動作を開始する。すなわち、搬送制御部７は、吸着ベルト昇降部２５を降下させ、吸着ベルト２３内の空気を排気させてスタッカ２４内の表示記録媒体４を吸着する。次に、吸着ベルト昇降部２５は、吸着ベルト２３を上昇させ、吸着ベルト回転駆動部２６により駆動ローラ２１を回転させ、表示記録媒体４を搬送部３に移動させる。表示記録媒体４が所定の位置に移動したとき、図６の時刻ｔ２に第１の位置センサ７１が表示記録媒体４を検出すると、駆動ローラ２１の駆動が停止され、表示記録媒体４の搬送部３への供給が終了する。
【００２９】
次に、搬送制御部７は、搬送ローラ回転駆動部７４により、搬送ローラ３１，３３Ａ，３３Ｂを回動して表示記録媒体４の搬送を開始する。表示記録媒体４が所定の位置に移動したときに、図６の時刻ｔ３に図２に示す第２の位置センサ７２が表示記録媒体４を検出すると、表示記録媒体４の搬送を停止する。次に、搬送ローラ昇降部７５は、搬送ローラ３３Ａ，３３Ｂを第２のガイド３５とともに図１（ｂ）、図４（ａ）の矢印ａ方向に下降させ、図４（ａ）のように表示記録媒体４を上方に変形させる。
【００３０】
次に、搬送ローラ回転駆動部７４は、表示記録媒体４を曲げた状態のまま搬送し、図６の時刻ｔ４に第３の位置センサ７３が表示記録媒体４を検出すると、搬送ローラ３１，３３Ａ，３３Ｂは、回動を停止し、表示記録媒体４の搬送を停止する。次に、搬送ローラ回転駆動部７４は、第２のガイド３５を図１（ｂ）、図４（ｂ）の矢印ｂ方向に上昇させ、表示記録媒体４を図４（ｂ）に示すように水平状態に戻す。このとき、書込み部６は、図２（ａ）に示すように開口６２から遠ざかる状態となっている。
【００３１】
次に、主制御部１５は、図２（ｂ）に示すように、電磁ソレノイド６３により書込み部６を上昇させてＬＣＤパネル６１を表示記録媒体４と密着させ、表示記録媒体４を上部筐体１１の当接面５に押付ける。次に、バックライト６０を点灯し、バックライト光をＬＣＤパネル６１に照射し、図示しない電源部から受電部を介して表示記録媒体４の透明電極４１Ａ，４１Ｂ間にパルス電圧を印加させるとともに、図示しないＬＣＤパネル駆動部から図示しない画像データ記憶部に記憶されている画像データに基づく駆動信号をＬＣＤパネル６１に出力させる。ＬＣＤパネル６１は、駆動信号に基づいて書込みパターン光９０を表示記録媒体４の裏面４ｂから書込表示領域４ｃに照射する。
【００３２】
書込みパターン光９０は、表示記録媒体４の裏面４ｂ側の基板４０Ｂ、透明電極４１Ｂ、液晶層４２および隔離層４３を通って光導電層４４を照射する。光導電層４４は、書込みパターン光９０が照射されると抵抗値が小さくなり、それにより、光導電層４４とのインピーダンス比で決まる表示層４２の分圧が増加し、一定以上の閾値を越えた電圧が印加された後に、表示層４２における光反射率が大きい状態で保持される。従って、書込表示領域４ｃを裏面４ｂから見た場合、書込みパターン光９０が照射された領域は表示層４２で反射して白く見える。逆に、書込みパターン光９０が照射されていない領域では、光導電層４４の抵抗値が大きく、表示層４２には閾値を越えた電圧が印加され、電圧印加後表示層４２は光を透過する状態で保持される。この透過した光は光吸収層４５で吸収されるため、書込みパターン光９０が照射されていない領域は黒く見える。
【００３３】
図６の時刻ｔ５において画像の書込みが終了すると、主制御部１５は、書込み部６の電磁ソレノイド６３を制御して書込み部６を元の位置に退避させ、搬送制御部７は搬送部３の搬送用モータを駆動して図示していない排出口から表示記録媒体４を排出する。
【００３４】
（第１の実施の形態の効果）
この第１の実施の形態によれば、以下の効果が得られる。
（イ）搬送ローラ３３Ａ，３３Ｂを第２のガイド３５とともに下方に下げて表示記録媒体４を折曲するため、書込表示領域４ｃと下部筐体上面１２ａとが接触しなくなるので、表示記録媒体の搬送に伴う書込領域および表示領域への損傷や汚れ、ゴミ等の付着を防止でき、表示される画像の品質劣化を抑制することができる。
（ロ）書込みパターン光９０による面一括照射により画像データの書換えを高速に行うことができる。
（ハ）書込みパターン光９０の照射する面と画像を表示する面とが同一面であるので、表示記録媒体４の表面に文字、記号、図形等を表記することができる。
【００３５】
［第２の実施の形態］（画像書込み装置の全体の構成）
図７は、本発明の第２の実施の形態に係る画像書込み装置を示し、（ａ）は平面図、（ｂ）は側面図である。
【００３６】
この画像書込み装置１は、第１の実施の形態とは搬送部３が相違する他は、第１の実施の形態と共通する。第１の実施の形態と共通する部分の説明は省略し、第１の実施の形態と異なる部分について説明する。
【００３７】
（各部の構成）
搬送部３は、下部筐体１２の一方の側面部に回動自在、かつ、搬送方向と直角方向に移動する第１のガイド３２と後述する搬送ローラ傾動部によって第２のガイド３５を回動可能に設けている。この第１のガイド３２は、搬送方向に沿って表示記録媒体４を挟持して搬送するローラ３６を配設し、第２のガイド３５は、搬送方向に沿って後述する搬送ローラ回転駆動部によって回転駆動される複数の搬送ローラ３６を配設している。これらの搬送ローラ３６は、後述する搬送ローラ回転駆動部によって回転駆動されるようになっている。
【００３８】
（表示記録媒体の湾曲機構）
図８は、表示記録媒体４の第２の実施の形態に係る湾曲機構を示し、（ａ）は図７（ａ）のＸ−Ｘ線に沿う断面図、（ｂ）は図７（ａ）のＲ方向から見た側面図であって、（ｃ）は図７（ａ）のＹ−Ｙ線に沿う断面図である。
【００３９】
第１のガイド３２は、表示記録媒体４を挟持して搬送する複数の搬送ローラ３６と、搬送方向に対して直角方向の回動および摺動を行う第１のガイド軸３２Ａと、下部筐体１２の側面部１２Ａに設けられ、第１のガイド軸３２Ａを支持する溝３２Ｂとを備える。
【００４０】
第２のガイド３５は、表示記録媒体４を挟持して搬送する複数の搬送ローラ３６と、搬送方向に対して直角方向の回動を行う第２のガイド軸３５Ｂと、第２のガイド軸３５Ｂに駆動力を付与する図示しないモータとを備える。下部筐体１２の側面部１２Ａは、ガイド軸３５Ｂを支持するガイド穴３５Ｃを備える。第２のガイド３５は、図示しないモータにより搬送ローラ傾動部３９を構成する。
【００４１】
この第２の実施の形態に係る湾曲機構は、第２のガイド軸３５Ｂを図８（ｂ）の矢印ａ方向に回動すると、表示記録媒体４が湾曲するとともに、第１のガイド軸３２Ａが矢印ｂ方向に回動し、表示記録媒体の湾曲に伴って第１のガイド軸３２Ａが溝３２Ｂ中を第２のガイド軸３５Ａ側に摺動する。
【００４２】
（画像書込み装置の搬送制御系）
図９は、第２の実施の形態に係る画像書込み装置１の搬送制御系を示す図である。この画像書込み装置１は、第１の実施の形態と同様に、装置１の全体を制御する主制御部１５を有し、この主制御部１５は、表示録媒体４を書込み位置まで移動させる制御を行う搬送制御部７とを接続している。搬送制御部７は、第１の実施の形態とは、搬送ローラ昇降部７５の代わりに搬送ローラ傾動部７６が接続されている点が異なる。
【００４３】
（動作の説明）
以下、この第２の実施の形態の動作を図面を参照しながら説明する。
図１０は、第２の実施の形態に係る画像書込み装置の動作の示すタイミングを示すタイムチャートである。
【００４４】
まず、主制御部１５からの制御信号に基づいて搬送制御部７は、図１０の時刻ｔ１において供給部２を制御して表示記録媒体４の供給動作を開始する。すなわち、搬送制御部７は、吸着ベルト昇降部２５を降下させ、吸着ベルト２３内の空気を排気させてスタッカ２４内の表示記録媒体４を吸着する。次に、吸着ベルト昇降部２５は、吸着ベルト２３を上昇させ、吸着ベルト回転駆動部２６により駆動ローラ２１を回転させ、表示記録媒体４を搬送部３に移動させる。表示記録媒体４が所定の位置に移動したとき、図１０の時刻ｔ２に表示記録媒体４が第１の位置センサ７１に検出されると、駆動ローラ３６の駆動が停止され、表示記録媒体４の搬送部３への供給が終了する。
【００４５】
次に、搬送制御部７は、搬送ローラ回転駆動部７４により、搬送ローラ３６を回動して表示記録媒体４の搬送を開始する。表示記録媒体４が所定の位置に移動したときに、図１０の時刻ｔ３に第２の位置センサ７２が表示記録媒体４を検出すると、表示記録媒体４の搬送を停止する。
【００４６】
次に、搬送ローラ傾動部７６は、搬送ローラ３６を第２のガイド３５とともに図７（ａ）、図８（ａ）の矢印ａ方向に回動し、図８（ｂ）のように表示記録媒体４を上方に湾曲させる。次に、搬送ローラ回転駆動部７４は、表示記録媒体４を湾曲した状態のまま搬送し、図１０の時刻ｔ４に第３の位置センサ７３が表示記録媒体４を検出すると、搬送ローラ３６は、回動を停止し、表示記録媒体４の搬送を停止する。次に、搬送ローラ傾動部７６は、第２のガイド軸３５Ａを元に戻し、第１の実施の形態と同様に、露光動作を行い、図１０の時刻ｔ５において画像の書込みが終了すると、主制御部１５は、書込み部の電磁ソレノイドを制御して書込み部を元の位置に退避させ、搬送制御部７は、搬送部３の搬送用モータを駆動して図示していない排出口から表示記録媒体４を排出する。
【００４７】
（第２の実施の形態の効果）
この第２の実施の形態によれば、搬送ローラ３６を第２のガイド３５とともに回動して表示記録媒体４を弓形に変形するため、表示記録媒体４の書込表示領域４ｃと下部筐体上面１２ａとが接触しなくなるので、表示記録媒体の搬送に伴う書込領域および表示領域への損傷や汚れ、ゴミ等の付着を防止するので、表示される画像の品質劣化を抑制することができる。
【００４８】
［第３の実施の形態］（画像書込み装置の全体の構成）
図１１は、本発明の第３の実施の形態に係る画像書込み装置を示し、（ａ）は平面図、（ｂ）は側面図である。
【００４９】
この画像書込み装置１は、第１の実施の形態とは搬送部３および書込み部が相違する他は、第１の実施の形態と共通する。第１の実施の形態と共通する部分の説明は省略し、第１の実施の形態と異なる部分について説明する。
【００５０】
（各部の構成）
搬送部３は、パネル１２Ａの両方の側部に第１および第２のガイド３２，３５を設けている。第１および第２のガイド３２，３５の間隔は、表示記録媒体４の搬送方向に直交する長さよりも若干広めに設定される。
【００５１】
これらのガイド３２，３５の入口側には、搬送ローラ３１が設けられ、そこから後方には、搬送方向に沿って、複数の搬送ローラ３７が設けられている。
【００５２】
これらの搬送ローラ３１，３７は、後述する搬送ローラ回転駆動部によって回転駆動されるようになっている。
【００５３】
搬送ローラ回転駆動部は、表示記録媒体４の搬送方向に沿ってローラ軸３１ａを介して取り付けられる円筒状の搬送ローラ３１と、ローラ軸を介して取り付けられる円錐台形状の搬送ローラ３７が設けられる第１および第２のガイド３２，３５とを備える。表示記録媒体４は、搬送用ローラ３７より搬送される。
【００５４】
書込み部６は、図示しない光源、レンズ、画像データを画像光に変換する変換部等からなり、表示記録媒体４に画像を書き込むプロジェクタ９１を備える。
【００５５】
（画像書込み装置の搬送制御系）
図１２は、第３の実施の形態に係る画像書込み装置１の搬送制御系を示す図である。この画像書込み装置１は、第１の実施の形態と同様に、装置１の全体を制御する主制御部１５を有し、この主制御部１５は、表示録媒体４を書込み位置まで移動させる制御を行う搬送制御部７とを接続している。
【００５６】
搬送制御部７は、表示記録媒体４をスタッカ２４から取り出すための吸着ベルト昇降部２５と、吸着ベルト２３を回転させて吸着した表示記録媒体４を移動する吸着ベルト回転駆動部２６と、表示記録媒体４の搬送、停止等の各動作を行うために表示記録媒体４の位置を検出する第１および第３の位置センサ７１，７３と、搬送ローラ３１，３７を回転駆動する搬送ローラ回転駆動部７４と接続されている。
【００５７】
（動作の説明）
以下、この第３の実施の形態の動作を図面を参照しながら説明する。
図１３は、第３の実施の形態に係る画像書込み装置の要部断面を示し、（ａ）は図１１（ａ）のＸ−Ｘ線に沿う断面図、（ｂ）は図１１（ａ）のＹ−Ｙ線に沿う断面図である。図１４は、第３の実施の形態に係る画像書込み装置の動作の示すタイミングを示すタイムチャートである。
【００５８】
まず、主制御部１５からの制御信号に基づいて搬送制御部７は、図１４の時刻ｔ１において供給部２を制御して表示記録媒体４の供給動作を開始する。すなわち、搬送制御部７は、吸着ベルト昇降部２５を降下させ、吸着ベルト２３内の空気を排気させてスタッカ２４内の表示記録媒体４を吸着する。次に、吸着ベルト昇降部２５は、吸着ベルト２３を上昇させ、吸着ベルト回転駆動部２６により駆動ローラ２１を回転させ、表示記録媒体４を搬送部３に移動させる。表示記録媒体４が所定の位置に移動したとき、図１４の時刻ｔ２に表示記録媒体４が第１の位置センサ７１に検出されると、駆動ローラ２１の駆動が停止され、表示記録媒体４の搬送部３への供給が終了する。
【００５９】
次に、搬送制御部７は、搬送ローラ回転駆動部７４により、搬送ローラ３７を回動して表示記録媒体４の搬送を開始する。図１４の時刻ｔ4に第３の位置センサ７３が表示記録媒体４を検出すると、搬送ローラ３７は、回動を停止し、表示記録媒体４の搬送を停止する。次に、表示記録媒体４を光出射部６２Ａに固定し、図示しない光源、レンズ、画像データを光データに変換する変換部等からなるプロジェクタ９１により露光動作を行なう。
【００６０】
図１４の時刻ｔ５において画像の書込みが終了すると、搬送制御部７は、搬送部３の搬送用モータを駆動して図示していない排出口から表示記録媒体４を排出する。
【００６１】
このとき、搬送ローラ３７は、内方側が窄まった円錐台形状であるため、この搬送用ローラ３７により搬送される表示記録媒体４は、図１３（ｂ）に示すように、矢印Ｒ方向に引張られながら搬送される。そのため、表示記録媒体の書込表示領域４ｃは、パネル面１２ｂに均一に接触する。
【００６２】
（第３の実施の形態の効果）
この第３の実施の形態によれば、搬送ローラ３７の回転のみにより表示記録媒体４を外側に引張るようにして搬送するため、表示記録媒体４の書込表示領域４ｃとパネル面１２ｂが均一に接触し、表示記録媒体４とパネル面２１ｂの面圧が小さくなるので、表示記録媒体の搬送に伴う書込領域および表示領域への損傷等を防止することができる。
【００６３】
また、画像書き込み装置としてプロジェクタを用いたので、表示記録媒体４に対する押付け動作が不要となり、表示記録媒体４の損傷等を防止することができる。
【００６４】
［第４の実施の形態］（画像書込み装置の全体の構成）
図１５は、本発明の第４の実施の形態に係る画像書込み装置の平面図を示す図である。
【００６５】
この画像書込み装置１は、第２の実施の形態とは搬送ローラが相違するほかは、第２の実施の形態と同様である。すなわち、スタッカから表示記録媒体４を供給する供給部２と、供給部２から供給された表示記録媒体４を画像書込み位置に搬送させるとともに、画像書込みが終了した表示記録媒体４を排出する搬送部３と、書込み位置に搬送された表示記録媒体４に当接する当接面を有する上部筐体１１と、表示記録媒体４の書込表示領域に画像を書き込む画像書込み部を有する下部筐体１２とを備える。
【００６６】
複数の搬送ローラ３８は、円筒状のロールを備え、表示記録媒体４に両ガイド３２，３５方向、すなわち、表示記録媒体４と搬送面との接触を均一にする方向の張力が付与されるように回転軸が搬送方向に対して傾斜して配置されている。
【００６７】
（第４の実施の形態の効果）
この第４の実施の形態によれば、搬送ローラ３８の回転により表示記録媒体４を外側に引張るようにして搬送するため、表示記録媒体４の書込表示領域４ｃと搬送面との接触が均一になるので、表示記録媒体の搬送に伴う書込領域および表示領域への損傷等を防止することができる。
【００６８】
［第５の実施の形態］（表示記録媒体の層構成）
図１６は、第５の実施の形態に係る表示記録媒体を示す図である。この表示記録媒体４は、書込みパターン光９０が照射される面と書き込まれた画像を見る側が異なるものである。この表示記録媒体４は、対向配置されたＰＥＴ（ポリエチレンテレフタレート）フィルムからなる一対の基板４０Ａ，４０Ｂと、一対の基板４０Ａ，４０Ｂの内側に設けられたＩＴＯ（酸化インジウム錫）からなる一対の透明電極４１Ａ，４１Ｂと、表面４ａ側の透明電極４１Ａの内側に設けられ、印加電圧に応じて反射率（透過率）が変化するコレステリック液晶からなる液晶層４２と、液晶層４２の下側に形成された光吸収層４５と、光吸収層４５の下側に形成され、書込みパターン光９０の照射によって抵抗値が小さくなるように、２つの電荷発生層４４ａ間に電荷輸送層４４ｂを配置して形成された光導電層４４とを備える。
【００６９】
この表示記録媒体４は、書込みパターン光９０を裏面４ｂから書込表示領域４ｃに照射する。書き込まれた画像は、表面４ａ側から視認される。そのため、表示記録媒体４は、表面４ａおよび裏面４ｂの両面を傷付けられないことが必要になる。表示記録媒体４は、搬送時に、外側に引張られるような力を加えられ、表示記録媒体４の裏面４ｂは、搬送面と均一に接するようにする。
【００７０】
（第５の実施の形態の効果）
この第５の実施の形態によれば、画像書込み面と表示面が異なるため、画像書込み面に搬送する際に、搬送ローラの回転により表示記録媒体４を外側に引張るようにして搬送するため、表示記録媒体４は、書込表示領域４ｃとパネル面１２ｂとの接触面圧が小さくなり、表示記録媒体の表面および裏面の損傷を防止することができる。
【００７１】
［他の実施の形態］
なお、本発明は、上記各実施の形態に限定されず、その要旨を変更しない範囲内で種々な変形が可能である。例えば、各実施の形態間の構成要素の組合せは任意に行うことができる。例えば、図１の画像書込み装置の表示記録媒体として図１６の表示記録媒体を用いてもよい。
【００７２】
この場合、表示記録媒体として上面に書込表示領域が配置されているので、搬送するときに表示記録媒体が下部筐体の上面に接触しても、書込み表示面を傷付けることが少なくなり、書込表示領域を損傷することを防止することができる。
また、他の形態としては、第１から第４の実施の形態では、書込み部を下部筐体に設けたが、上部筐体に設けてもよい。
【００７３】
また、メモリ性を有する表示記録媒体として、上記の他に、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式を用いてもよい。
【図面の簡単な説明】
【００７４】
【図１】図１は、本発明の第１の実施の形態に係る画像書込み装置を示し、（ａ）は平面図、（ｂ）は側面図である。
【図２】図１（ａ）のII−II線に沿う断面図であり、（ａ）は表示記録媒体が書込み位置に搬送される前の状態、（ｂ）は書込み状態を示す。
【図３】第１の実施の形態に係る画像書込み装置に使用される表示記録媒体を示し、（ａ）は表示記録媒体の正面図、（ｂ）は表示記録媒体の層構造を示す模式図である。
【図４】表示記録媒体の第１の実施の形態に係る湾曲機構を示す図であり、（ａ）は図１（ａ）のＸ−Ｘ線に沿う断面図、（ｂ）は図１（ａ）のＹ−Ｙ線に沿う断面図である。
【図５】第１の実施の形態に係る画像書込み装置の搬送制御系を示す図である。
【図６】第１の実施の形態に係る画像書込み装置の動作の示すタイミングを示すタイムチャートである。
【図７】図７は、本発明の第２の実施の形態に係る画像書込み装置を示し、（ａ）は平面図、（ｂ）は側面図である。
【図８】表示記録媒体の第２の実施の形態に係る湾曲機構を示し、（ａ）は図７（ａ）のＸ−Ｘ線に沿う断面図、（ｂ）は図７（ａ）のＲ方向から見た側面図であって、（ｃ）は図７（ａ）のＹ−Ｙ線に沿う断面図である。
【図９】第２の実施の形態に係る画像書込み装置の搬送制御系を示す図である。
【図１０】第２の実施の形態に係る画像書込み装置の動作の示すタイミングを示すタイムチャートである。
【図１１】本発明の第３の実施の形態に係る画像書込み装置を示し、（ａ）は平面図、（ｂ）は側面図である。
【図１２】第３の実施の形態に係る画像書込み装置の搬送制御系を示す図である。
【図１３】第３の実施の形態に係る画像書込み装置の要部断面を示し、（ａ）は図１１（ａ）のＸ−Ｘ線に沿う断面図、（ｂ）は図１１（ａ）のＹ−Ｙ線に沿う断面図である。
【図１４】第３の実施の形態に係る画像書込み装置の動作の示すタイミングを示すタイムチャートである。
【図１５】本発明の第４の実施の形態に係る画像書込み装置の平面図である。
【図１６】本発明の第５の実施の形態に係る表示記録媒体を示す図である。
【符号の説明】
【００７５】
１  画像書込み装置
２  供給部
３  搬送部
４  表示記録媒体
４ａ  表面
４ｂ  裏面
４ｃ  書込表示領域
５  当接面
６  書込み部
７     搬送制御部
１１  上部筐体
１２  下部筐体
１２ａ  下部筐体上面
１２ｂ  パネル面
１２Ａ  側面部
１５  主制御部
２１  駆動ローラ
２２  従動ローラ
２３  吸着ベルト
２３ａ  空気吸入穴
２４  ストッカ
２５  吸着ベルト昇降部
２６  吸着ベルト回転駆動部
３１，３３Ａ，３３Ｂ  搬送ローラ
３１ａ，３３ａ，３３ｂ，３６ａ，３７ａ  ローラ軸
３２  第１のガイド
３２Ａ  第１のガイド軸
３２Ｂ  溝
３５  第２のガイド
３５Ａ  第２のガイド軸
３５Ｃ  ガイド穴
３６，３６Ａ，３６Ｂ，３７，３８  搬送ローラ
３９  搬送ローラ傾動部
４０Ａ，４０Ｂ  基板
４１Ａ，４１Ｂ  透明電極
４２  液晶層
４３  隔離層
４４  光導電層
４４ａ  電荷発生層
４４ｂ  電荷輸送層
４５  光吸収層
６０  バックライト
６１  ＬＣＤパネル
６２  開口
６２Ａ  光出射部
６３  電磁ソレノイド
７１，７２，７３  位置センサ
７４  搬送ローラ回転駆動部
７５  搬送ローラ昇降部
７６  搬送ローラ傾動部
９０  書込みパターン光
９１  プロジェクタ
【図１】
2005263473.tif 000003
【図２】
2005263473.tif 000004
【図３】
2005263473.tif 000005
【図４】
2005263473.tif 000006
【図５】
2005263473.tif 000007
【図６】
2005263473.tif 000008
【図７】
2005263473.tif 000009
【図８】
2005263473.tif 000010
【図９】
2005263473.tif 000011
【図１０】
2005263473.tif 000012
【図１１】
2005263473.tif 000013
【図１２】
2005263473.tif 000014
【図１３】
2005263473.tif 000015
【図１４】
2005263473.tif 000016
【図１５】
2005263473.tif 000017
【図１６】
2005263473.tif 000018